(57)【要約】      （修正有）【課題】簡素な構造でより容易に作製でき、蓋を脱落させることなく片手で注出することができる蓋付注出容器を提供する。【解決手段】本考案の蓋付注出容器１は、側部に注出部２と把手３とをそれぞれ備え上部に開口部４を備えた注出容器本体５と、注出容器本体５の開口部４に配される蓋６とを有し、開口部４は、上方ａに蓋６を配置する蓋受用フランジと、蓋受用フランジの上方の少なくとも注出部２側に設けられ蓋６の端縁部と係合して係止可能な凹部８と、把手３側に設けられ注出容器本体５を注出部２側を下方に向けて傾斜させると蓋６を上方から係止する凸部９とを有している。このため、お茶等を注ぐために注出部側を下方に向けて傾斜させると、注出部側では蓋の端縁部が開口部に設けられた凹部に係合し、把手側では凸部が蓋を上方から係止するため、蓋を脱落させることなく片手で注出することができる。【選択図】図４
0003133626.tif 000002
【実用新案登録請求の範囲】
【請求項１】
側部に注出部と把手とをそれぞれ備え上部に開口部を備えた注出容器本体と、該注出容器本体の前記開口部に配される蓋とを有した蓋付注出容器であって、前記開口部は、上方に前記蓋を配置する蓋受用フランジと、該蓋受用フランジの上方の少なくとも注出部側に設けられ前記蓋の端縁部と係合して係止可能な凹部と、把手側に設けられ前記注出容器本体を前記注出部側を下方に向けて傾斜させると前記蓋を上方から係止する凸部とを有していることを特徴とする蓋付注出容器。
【請求項２】
前記凸部は、前記把手の一端部が前記開口部の内側に向かって延出して形成されている請求項１に記載の蓋付注出容器。
【請求項３】
前記凹部は、前記開口部の内周部に設けられた環状凹部である請求項１または２に記載の蓋付注出容器。
【請求項４】
前記蓋付注出容器は急須である請求項１ないし３のいずれかに記載の蓋付注出容器。
【考案の詳細な説明】
【技術分野】
【０００１】
本考案は、注出時に傾けても蓋が容器本体から脱落しない蓋付注出容器に関する。
【背景技術】
【０００２】
例えば急須などの蓋付注出容器は、急須本体を傾けて湯飲みにお茶を注ぐ。通常、この注出動作は、一方の手で把手を持って急須本体を傾け、他方の手で蓋のつまみを押さえながら両手で行っている。
【０００３】
しかし、お茶を注ぐ際にいつも両手を要するのは不便な場合があり、また半身麻痺などの病人等は不可能な動作であり、さらに、蓋を落下させて破損させ急須ごと廃棄しなければならないこともあった。
【０００４】
この改善策としては、片手で注出動作が可能な急須等が種々提案されている。例えばそのようなものとして、蓋の下部に水平方向延出部を設け、この水平方向延出部を開口部に設けられた蓋受フランジの下方に挿入して蓋を係止させるもの（実開昭６１−７９９７８号公報）、開口部付近に突起部を設け、蓋のつまみと突起部とを連結帯にて連結して蓋を係止するもの（実開昭６２−６６５６２号公報）、開口部に水平方向に延在する凹部を設け、蓋の周縁の取り付けた弾性凸部を凹部に嵌合して係止するもの（実開昭６２−１９３４７７号公報）、蓋の周縁に設けられた凸部をカートリッジに設けられた環状凹部内に挿入して蓋を係止するもの（実開昭６３−２９４７１号公報）、開口部に設けられた凹部と蓋の周縁にもうけられた環状凹部を係合させて蓋を係止するもの（実開平１−８６８７７号公報）、蓋の延出部と把手とを一体的に把持して蓋の脱落を防止するもの（実開平４−３８７６２号公報）、開口部に水平方向に延在する凹部を設け、蓋の周縁部を凹部内に挿入して係止するもの（実用新案登録第３０１３３８９号公報）、蓋と開口部にそれぞれ係合部を設け両者を相対的に回動することで係止するもの（実用新案登録第３０７２０７３号公報）などがある。
【特許文献１】実開昭６１−７９９７８号公報
【特許文献２】実開昭６２−６６５６２号公報
【特許文献３】実開昭６２−１９３４７７号公報
【特許文献４】実開昭６３−２９４７１号公報
【特許文献５】実開平１−８６８７７号公報
【特許文献６】実開平４−３８７６２号公報
【特許文献７】実用新案登録第３０１３３８９号公報
【特許文献８】実用新案登録第３０７２０７３号公報
【考案の開示】
【考案が解決しようとする課題】
【０００５】
本願考案は、これらと同様の課題を他の構造にて解決するものであり、すなわち、本考案の課題は、簡素な構造でより容易に作製でき、蓋を脱落させることなく片手で注出することができる蓋付注出容器を提供することにある。
【課題を解決するための手段】
【０００６】
上記課題を解決するものは、側部に注出部と把手とをそれぞれ備え上部に開口部を備えた注出容器本体と、該注出容器本体の前記開口部に配される蓋とを有した蓋付注出容器であって、前記開口部は、上方に前記蓋を配置する蓋受用フランジと、該蓋受用フランジの上方の少なくとも注出部側に設けられ前記蓋の端縁部と係合して係止可能な凹部と、把手側に設けられ前記注出容器本体を前記注出部側を下方に向けて傾斜させると前記蓋を上方から係止する凸部とを有していることを特徴とする蓋付注出容器である。
【０００７】
前記凸部は、前記把手の一端部が前記開口部の内側に向かって延出して形成されていることが好ましい。前記凹部は、前記開口部の内周部に設けられた環状凹部であることが好ましい。
【考案の効果】
【０００８】
請求項１に記載の考案によれば、簡素な構造でより容易に作製でき、蓋を脱落させることなく片手で注出することができる蓋付注出容器となる。
請求項２または請求項３に記載の考案によれば、より簡素な構造で上記請求項１の効果を奏する蓋付注出容器を構成できる。
請求項４に記載の考案によれば、簡素な構造でより容易に作製でき、蓋を脱落させることなく片手で注出することができる急須となる。
【考案を実施するための最良の形態】
【０００９】
本考案の蓋付注出容器は、お茶等を注ぐために注出部側を下方に向けて傾斜させると、注出部側では蓋の端縁部が開口部に設けられた凹部に係合し、把手側では凸部が蓋を上方から係止するため、蓋を脱落させることなく片手で注出することができる。
【実施例１】
【００１０】
図１は本考案の蓋付注出容器の一実施例の平面図であり、図２は図１のＡ−Ａ線断面図であり、図３は図２において蓋を注出容器本体から外した状態の図であり、図４は図１に示した蓋付注出容器の作用を示す縦断面図である。
【００１１】
この実施例の蓋付注出容器１は、側部に注出部２と把手３とをそれぞれ備え上部に開口部４を備えた注出容器本体５と、注出容器本体５の開口部４に配される蓋６とを有し、開口部４は、上面７ａに蓋６を載置する蓋受用フランジ７と、蓋受用フランジ７の上方の少なくとも注出部２側に設けられ蓋６の端縁部と係合して係止可能な凹部８と、把手３側に設けられ注出容器本体５を注出部２側を下方に向けて傾斜させると蓋６を上方から係止する凸部９とを有している。以下、各構成について順次詳述する。
【００１２】
この実施例の蓋付注出容器１は急須であるが、本考案の蓋付注出容器は、蓋体を備え注出容器本体を傾斜させて内部の液体を注出する容器を広く包含するものであり、例えば土瓶、やかん、コーヒーポットまたはティーポットなどに適用したものも本考案の範疇に包含される。
【００１３】
注出容器本体５は、有底筒状の濾過カートリッジ（図示しない）を配し、その中に茶葉を入れて開口からお湯を注ぎ内部にお茶を貯える部位であり、図１または図２に示すように、側部に注出部２と把手３とをそれぞれ備え上部に開口部４を備えた有底容器に構成されている。また、注出部２は先端に注ぎ口２ａを備え、把手３は注出部２が設けられている部位とは略反対側の側部に形成されている。
【００１４】
蓋６は注出容器本体５の開口部４に配されるものであり、蓋６を把持するつまみ１０と、空気を流通させる空気孔１１とを有している。
【００１５】
開口部４は、お湯を注出容器本体５内に流入させたり、茶葉を挿入したりする開口を形成する部位である。
【００１６】
開口部４には、上面７ａに蓋６や濾過カートリッジを載置するための環状の蓋受用フランジ７が形成され、この部位に蓋６の周縁部６ａを載置すると、図２に示すように注出容器本体５に蓋６を配置することができる。他方、この蓋受用フランジ７の上面７ａには、有底筒状の濾過カートリッジ（図示しない）のフランジを載置して注出容器本体５に有底筒状の濾過カートリッジを配することもでき、その上部に蓋６を配してもよい。
【００１７】
また、開口部４には、図３に示すように、蓋受用フランジ７の上方の少なくとも注出部２側に設けられ蓋６の端縁部（周縁部６ａ）と係合して係止可能な凹部８が設けられている。なお、この実施例では、凹部８は、開口部４の内周部に設けられ、開口上端より開口を大きくするように水平方向に延在する環状凹部に形成されている。そして、お茶等を注ぐために注出部２側を下方に向けて傾斜させると、図４に示すように、注出部２側では蓋６の端縁部（周縁部６ａ）がこの凹部８に係合して係止されるように構成されている。だたし、凹部は環状凹部に限定されず、開口部の内周部において、注出部側に部分的に形成されたものも本考案の範疇に包含される。
【００１８】
さらに、開口部４には、把手３側に設けられ注出容器本体５を注出部２側を下方に向けて傾斜させると蓋６を上方から係止する凸部９が設けられている。なお、この実施例では、凸部９は、図１または図４に示すように、把手３の一端部（上端部）が開口部４の内側に向かって延出して形成されている。そして、お茶等を注ぐために注出部２側を下方に向けて傾斜させると、図４に示すように、把手３側では凸部９が蓋６（具体的には周縁部６ａ）を上方から係止するように構成されている。ただし、凸部は、把手の一端部が開口部の内側に向かって延出して形成されたものに限定されず、把手側の開口部付近に設けられ蓋を上方から係止するものであればどのようなものでもよい。
【００１９】
このように、本考案の蓋付注出容器１は、お茶等を注ぐために注出部２側を下方に向けて傾斜させると、注出部２側では蓋６の端縁部が開口部４に設けられた凹部８に係合し、把手３側では凸部９が蓋６を上方から係止するため、開口部４に凹部８および凸部９のような簡素な構造を設けるだけ、蓋６を脱落させることなく片手で注出することができる。
【図面の簡単な説明】
【００２０】
【図１】本考案の蓋付注出容器の一実施例の平面図である。
【図２】図２は図１のＡ−Ａ線断面図である。
【図３】図３は図２において蓋を注出容器本体から外した状態の図である。
【図４】図４は図１に示した蓋付注出容器の作用を示す縦断面図である。
【符号の説明】
【００２１】
１    蓋付注出容器
２    注出部
３    把手
４    開口部
５    注出容器本体
６    蓋
７    蓋受用フランジ
８    凹部
９    凸部
１０  つまみ
１１  空気孔
【図１】
0003133626.tif 000003
【図２】
0003133626.tif 000004
【図３】
0003133626.tif 000005
【図４】
0003133626.tif 000006